(57)【要約】【課題】  電池電圧の低下で、指針を用いた表示手段よりも先に、有機ＥＬ等によるモードの種類を表すモード情報を表示する表示手段が動作しなくなっても、指針を増やさずにモード情報を表示することが可能な電子時計を提供する。【解決手段】  モードの種類を表すモード情報を表示する第１表示手段２と、指針３ａによって電池６の電圧に関する情報を表示する第２表示手段３と、指針４ａ〜４ｅによって時刻情報を含む複数種類の情報を表示する第３表示手段４と、電池６の電圧を検出する電圧検出手段５と、第１表示手段２と第２表示手段３と第３表示手段４の動作を制御する制御手段１とを有し、制御手段１は、電圧検出手段５が、所定の電圧値以下の電圧値を検出すると、第１表示手段２を停止させるとともに、第２表示手段３でモード情報を表示するように、第１表示手段２と第２表示手段３とを制御する。【選択図】        図２
2010223798.tif 000002
【特許請求の範囲】
【請求項１】
電池を電源とし、複数種類の情報を切り替えて表示する複数のモードを有する電子時計であって、
前記モードの種類を表すモード情報を表示する第１表示手段と、指針によって前記電池の電圧に関する情報を表示し、前記第１表示手段の動作電圧よりも低い電圧で動作する第２表示手段と、指針によって時刻情報を含む前記複数種類の情報を表示し、前記第１表示手段の動作電圧よりも低い電圧で動作する第３表示手段と、前記電池の電圧を検出する電圧検出手段と、前記第１表示手段と前記第２表示手段と前記第３表示手段の動作を制御する制御手段とを有し、
該制御手段は、前記電圧検出手段が、所定の電圧値以下の電圧値を検出すると、前記第１表示手段を停止させるとともに、前記第２表示手段で前記モード情報を表示するように、前記第１表示手段と前記第２表示手段とを制御することを特徴とする電子時計。
【請求項２】
前記第２表示手段は、前記電圧検出手段が前記所定の電圧値を上回る電圧値を検出することにより、第１所定角度範囲で前記電池の電圧に関する情報を表示し、前記電圧検出手段が前記所定の電圧値以下の電圧値を検出することにより、前記第１所定角度範囲とは異なる第２所定角度範囲で前記モード情報を表示するように、前記制御手段が前記第２表示手段を制御することを特徴とする請求項１に記載の電子時計。
【請求項３】
前記第２表示手段は、前記第２所定角度範囲を複数の領域に分割するとともに、前記第２表示手段の指針が指し示す領域によって、前記モード情報を表示することを特徴とする請求項２に記載の電子時計。
【請求項４】
前記電圧検出手段が前記所定の電圧値を上回る電圧値を検出することにより、前記複数の情報を前記第１表示手段で表示し、前記電圧検出手段が前記所定の電圧値以下の電圧値を検出することにより、前記複数の情報を前記第３表示手段で表示するように、前記制御手段が前記第１表示手段と前記第３表示手段とを制御することを特徴とする請求項１〜３のいずれか１項に記載の電子時計。
【請求項５】
前記電圧検出手段が前記所定の電圧値を上回る電圧値を検出し、前記第１表示手段で前記複数の情報のいずれかを表示しているときに、前記電圧検出手段が前記所定の電圧値以下の電圧値を検出することにより、前記第１表示手段を停止するとともに、前記第１表示手段で表示していた情報を前記第３表示手段で継続して表示するように、前記制御手段が、前記第１表示手段と前記第３表示手段を制御することを特徴とする請求項４に記載の電子時計。
【請求項６】
前記電圧検出手段が前記所定の電圧値以下の電圧値を検出し、前記第３表示手段で前記複数の情報のいずれかを表示しているときに、前記電圧検出手段が、前記所定の電圧値を上回る電圧値を検出すると、前記第１表示手段を動作させるとともに、前記第３表示手段で表示していた情報を、前記第１表示手段で継続して表示するように、前記制御手段が前記第１表示手段と前記第３表示手段とを制御することを特徴とする請求項５に記載の電子時計。
【請求項７】
前記第３表示手段は、有機ＥＬを用いた表示手段であることを特徴とする請求項１〜６のいずれか１項に記載の電子時計。
【発明の詳細な説明】
【技術分野】
【０００１】
本発明は、一次電池又は二次電池を電源として動作する電子時計に関するものである。
【背景技術】
【０００２】
従来から一次電池や、ソーラーセル等の発電手段を有し、外光により発電した電力を充電する二次電池を電源として動作する電子時計があった。
【０００３】
これらの電子時計の中には、電池残量（電池電圧）の低下による回路の誤動作を防ぐように構成したものがある。例えば、回路の動作限界電圧になる前にスタンバイ状態に遷移させる。
【０００４】
また、これら電子時計には、指針によるアナログ表示部と、液晶によるデジタル表示部とを併せ持つものが数多く提案されている。一般的には、アナログ表示部は視認性の高さから時刻情報や電池残量等を表示し、デジタル表示部は表示の自由度の高さからクロノグラフやアラームなどの付加機能に関する情報等を表示している。デジタル表示部はまた、文字やマーク類を用いたモード表示を行ったりしている。
【０００５】
以下に添付図面を参照して、従来の電子時計についての説明を行う。
図５は、従来の電子時計の一例である。
【０００６】
１０２はデジタル表示による各種機能に対応したグラフィック情報やテキスト情報等の表示を行う液晶表示装置である。
【０００７】
１０４ａは秒針、１０４ｂは分針、１０４ｃは時針、１０４ｄは２４時間針、１０４ｅは都市表示針であり、秒針１０４ａ〜２４時間針１０４ｄを用いてワールドタイム時刻情報の表示を行うと共に、都市表示針１０４ｅを用いて相当する都市表示を行う。
【０００８】
１０８は第１入力手段であり、押下することでオン入力となり、この電子時計が有する各モードにて選択手段として機能する。１０９は第２入力手段であり、押下することでオン入力となり、各モードにて決定手段として機能する。１１０は第３入力手段であり、回転することで各種モードの変更が可能となり、また１段引きすることで各種モードの設定状態へ遷移する。
【０００９】
以下、上記構成による従来の電子時計の動作について詳述する。
この電子時計が搭載する機能は、時刻日付モード、クロノグラフモード、タイマーモード、アラームモードである。使用者は、前記第３入力手段１１０を回転することで、上記モードを選択し、前記第１入力手段１０８および前記第２入力手段１０９を用いて各モードに割当てられた機能の操作を行う。
【００１０】
このとき使用者は、前記液晶表示装置１０２に表示される各モード名の略号で現在どのモードかを判断する。例えば、時刻日付モードはＴＩＭ、クロノグラフモードはＣＨＲ、タイマーモードはＴＭ、アラームモードはＡＬ等である。
【００１１】
また前記電池残量表示針１０３ａにより、電池の充電状態をＨおよびＭおよびＬの３段階で表示することで、使用者はいつでも本電子時計の充電状態を知ることが出来る。
【００１２】
なお、各モードにおける詳細な操作および動作については説明を省略する。
また、アナログ表示部としての指針とデジタル表示部としての有機ＥＬとを組み合わせて所定の情報を表示する電子時計が特許文献１に開示されている。この電子時計は、数字や文字が表示可能な有機ＥＬで時刻の時の情報を表示し、指針で時刻の分と秒の情報を表示する。このように、電子時計のデジタル表示手段として、液晶表示装置の代わりに、有機ＥＬを使用することが可能であり、図５に示した電子時計の液晶表示装置の代わりに、有機ＥＬを使用することができる。
【００１３】
ところで、一般的に有機ＥＬは、指針表示手段よりも高い電力、高い電圧を必要とする。従って、図５に示した電子時計で液晶表示装置の代わりに有機ＥＬを用いると、有機ＥＬに比べて指針表示手段（電池残量表示針３ａや時針４ｃ等）の方が、より低電圧での動作が可能である。
【先行技術文献】
【特許文献】
【００１４】
【特許文献１】特開２００８−１３９０２５号公報
【発明の概要】
【発明が解決しようとする課題】
【００１５】
しかしながら、モード名等、各モードにおける一部の表示を行っている有機ＥＬが停止すると、各モード表現や機能動作が困難になるため、例え指針表示手段が動作可能な電圧であっても、有機ＥＬを停止する電圧に達すると共に時計の動作を停止せざるを得なかった。
【００１６】
上記問題を回避するため、有機ＥＬの表示内容を代用するための新たな指針を追加し、指針表示のみで各モードの機能を利用することも可能であるが、スペースの制約がある文字板上に新たな指針を設けることは視認性の低下や、コスト増につながってしまう。
【００１７】
本発明は、以上のような課題を解決しようとするもので、モードの種類を表示する表示手段と、電池の電圧に関する情報を表示する指針と、時刻情報を含む複数種類の情報を表示する指針とを有し、電池電圧の低下でモードの種類を表示する表示手段の動作を停止させ、指針を用いた表示手段しか動作しなくなっても、指針を増やさずにモードの種類に関する情報を表示して動作を継続可能な電子時計の提供を目的とする。
【課題を解決するための手段】
【００１８】
上記問題を解決するため、本発明では、電池を電源とし、複数種類の情報を切り替えて表示する複数のモードを有する電子時計であって、前記モードの種類を表すモード情報を表示する第１表示手段と、指針によって前記電池の電圧に関する情報を表示し、前記第１表示手段の動作電圧よりも低い電圧で動作する第２表示手段と、指針によって時刻情報を含む前記複数種類の情報を表示し、前記第１表示手段の動作電圧よりも低い電圧で動作する第３表示手段と、前記電池の電圧を検出する電圧検出手段と、前記第１表示手段と前記第２表示手段と前記第３表示手段の動作を制御する制御手段とを有し、該制御手段は、
前記電圧検出手段が、所定の電圧値以下の電圧値を検出すると、前記第１表示手段を停止させるとともに、前記第２表示手段で前記モード情報を表示するように、前記第１表示手段と前記第２表示手段とを制御することを特徴とする。
【００１９】
また、前記第２表示手段は、前記電圧検出手段が前記所定の電圧値を上回る電圧値を検出することにより、第１所定角度範囲で前記電池の電圧に関する情報を表示し、前記電圧検出手段が前記所定の電圧値以下の電圧値を検出することにより、前記第１所定角度範囲とは異なる第２所定角度範囲で前記モード情報を表示するように、前記制御手段が前記第２表示手段を制御することを特徴とする。
【００２０】
また、前記第２表示手段は、前記第２所定角度範囲を複数の領域に分割するとともに、
前記第２表示手段の指針が指し示す領域によって、前記モード情報を表示することを特徴とする。
【００２１】
また、前記電圧検出手段が前記所定の電圧値を上回る電圧値を検出することにより、前記複数の情報を前記第１表示手段で表示し、前記電圧検出手段が前記所定の電圧値以下の電圧値を検出することにより、前記複数の情報を前記第３表示手段で表示するように、前記制御手段が前記第１表示手段と前記第３表示手段とを制御することを特徴とする。
【００２２】
また、前記電圧検出手段が前記所定の電圧値を上回る電圧値を検出し、前記第１表示手段で前記複数の情報のいずれかを表示しているときに、前記電圧検出手段が前記所定の電圧値以下の電圧値を検出することにより、前記第１表示手段を停止するとともに、前記第１表示手段で表示していた情報を前記第３表示手段で継続して表示するように、前記制御手段が、前記第１表示手段と前記第３表示手段を制御することを特徴とする。
【００２３】
また、前記電圧検出手段が前記所定の電圧値以下の電圧値を検出し、前記第３表示手段で前記複数の情報のいずれかを表示しているときに、前記電圧検出手段が、前記所定の電圧値を上回る電圧値を検出すると、前記第１表示手段を動作させるとともに、前記第３表示手段で表示していた情報を、前記第１表示手段で継続して表示するように、前記制御手段が前記第１表示手段と前記第３表示手段とを制御することを特徴とする。
【００２４】
また、前記第３表示手段は、有機ＥＬを用いた表示手段であることを特徴とする。
【発明の効果】
【００２５】
本発明によれば、簡単な構成でモードの種類を表示する表示手段だけが停止した後も指針を増やさずにモードの種類に関する情報が表示可能となる。
【図面の簡単な説明】
【００２６】
【図１】本発明の第１の実施の形態にかかる電子時計のブロック図である。
【図２】本発明の第１の実施の形態にかかる電子時計の正面図である。
【図３】本発明の第１の実施の形態にかかる電子時計の指針モード表示の図である。
【図４】本発明の第１の実施の形態にかかる電子時計の第１表示部消灯時の正面図である。
【図５】従来の電子時計の正面図である。
【発明を実施するための形態】
【００２７】
以下に添付図面を参照して、この発明にかかる電子時計の好適な実施の形態を詳細に説明する。
【００２８】
図１は本発明による電池残量表示針を用いてモード表示を行う電子時計のブロック図、図２は、本発明による電子時計の外観図である。
２は有機ＥＬによる第１表示手段であり、制御手段１からの第１表示情報Ｓｄ１に基づき表示を行うと共に、前記制御手段１からの有効信号Ｓｅ１をオンすることで表示動作を有効とし、オフすることで表示動作を強制停止する。前記第１表示手段２は、デジタル表示による各種機能に対応したグラフィック情報やテキスト情報等の表示を行う。
【００２９】
３は第２表示手段であり、前記制御手段１からの第２表示情報Ｓｄ２に基づき表示を行うと共に、前記制御手段１からの有効信号Ｓｅ２をオンすることで表示動作を有効とし、オフすることで表示動作を強制停止する。前記第２表示手段３は、電池残量表示針３ａと電池残量表示針３ａを駆動するモータ３ｍを有し、電池残量表示針３ａを用いて電池残量表示を行う。４は第３表示手段であり、前記制御手段１からの第３表示情報Ｓｄ３に基づ
き表示を行うと共に、前記制御手段１からの有効信号Ｓｅ３をオンすることで表示動作を有効とし、オフすることで表示動作を強制停止する。前記第３表示手段４は、秒針４ａ、分針４ｂ、時針４ｃ、２４時間針４ｄおよび都市表示針４ｅと、これらの指針を駆動するモータ４ｍａ，４ｍｂを有し、秒針４ａ〜２４時間針４ｄを用いてワールドタイム時刻情報の表示を行うと共に、都市表示針４ｅを用いて相当する都市表示を行う。
【００３０】
５は電圧検出手段であり、電池６の電圧を測定する。該電池６は充電可能な二次電池であり、光発電手段７からの充電電圧Ｓｃの供給により充電される。
前記電池６はまた、その負荷特性から、前記第１表示手段２を３．３Ｖから４．２Ｖの範囲で駆動可能であり、前記第２表示手段３や第３表示手段４を３．０Ｖから４．２Ｖの範囲で駆動可能である。すなわち、第２表示手段３や第３表示手段４は、第１表示手段２の動作電圧よりも低い電圧で動作する。
【００３１】
前記電圧検出手段５は、該電池６の充電電圧Ｓｖが３．６Ｖ以下になると第２電圧検出信号Ｓｖｋ２を、３．３Ｖ以下になると第１電圧検出信号Ｓｖｋ１を、３．０Ｖ以下になると第３電圧検出信号Ｓｖｋ３を、前記制御手段１に出力する。
前記制御手段１は通常、前記第１電圧検出信号Ｓｖｋ１、前記第２電圧検出信号Ｓｖｋ２、前記第３電圧検出信号Ｓｖｋ３の入力がない、すなわち前記電池電圧Ｓｖが３．６Ｖを上回っている場合、前記第２表示手段３に対し、前記電池残量表示針３ａがレベルＨを表示するよう前記第２表示情報Ｓｄ２によりモータ３ｍの運針制御を行う。さらに、前記電池電圧Ｓｖが３．６Ｖ以下となり前記第２電圧検出信号Ｓｖｋ２が入力されると、前記第２表示手段３に対し、前記電池残量表示針３ａがレベルＭを表示するよう前記第２表示情報Ｓｄ２によりモータ３ｍの運針制御を行う。
【００３２】
８は第１入力手段であり、押下することでオン入力となり、各モードにて選択手段として機能する。９は第２入力手段であり、押下することでオン入力となり、各モードにて決定手段として機能する。１０は第３入力手段であり、１段引き状態で回転することで各種モードの変更が可能となり、また２段引きすることで各種モードの設定状態へ遷移する。
尚、本実施の形態の電子時計は４つの機能を搭載し、それぞれの機能を実現する、時刻日付モード、クロノグラフモード、タイマーモード、アラームモードの４つのモードを有している。
【００３３】
前記制御手段１は、前記電池電圧Ｓｖが所定の電圧値である３．３Ｖを上回っているとき、第１表示手段２への有効信号Ｓｅ１をオンにして第１表示手段２を動作させる。この状態では、第３入力手段１０で選択した現在のモードの情報（モードの種類）と、そのモードにより表示される情報を第１表示手段２で表示する。そして、第２表示手段３では前述の通り、Ｈ又はＭを表示する。さらに、第３表示手段では、現在時刻と相当する都市を表示する。
【００３４】
また、前記制御手段１は、前記電池電圧Ｓｖが所定の電圧値である３．３Ｖ以下となり前記第１電圧検出信号Ｓｖｋ１が入力されると、第１表示手段２への有効信号Ｓｅ１をオフすることで前記第１表示手段２を強制停止する。第１表示手段２の強制停止状態は、有機ＥＬの全消灯状態である。
また、前記制御手段１は、有効信号Ｓｅ１をオフすると同時に、第２表示情報Ｓｄ２を出力し、第２表示手段３による「ＴＭＥ」〜「ＡＬＭ」のいずれかを表示する運針制御を行い、現在のモードの情報と電池残容量のレベルがＬである情報とを同時に表示する。
【００３５】
さらに、前記制御手段１は、前記第１電圧検出信号Ｓｖｋ１の入力に伴い前記第１表示手段２に表示していた、選択されたモードで表示される情報を前記第３表示手段４を使用して表示を行う。
例えば、クロノグラフモードにおいては前記第２表示手段３に対し前記電池残量表示針３ａが図３に示すＣＨＲ領域を表示するよう運針制御を行うと共に、クロノグラフ秒情報を秒針４ａで表示し、クロノグラフ分情報を分針４ｂで表示し、クロノグラフ時間情報を時針４ｃで表示することで、前記第１表示手段２の表示情報の一部を表示することが出来る。
【００３６】
前記制御手段１はまた、前記電池電圧Ｓｖが３．０Ｖ以下となり前記第３電圧検出信号Ｓｖｋ３が入力されると、第２表示手段３への第２表示有効信号Ｓｅ２をオフすると共に第３表示手段４への第３表示有効信号Ｓｅ３をオフし指針表示を停止すると共に、前記第１入力手段８および前記第２入力手段９および前記第３入力手段１０の入力を禁止することでスタンバイ状態へ遷移する。
【００３７】
図３は電池残量表示針３ａによる表示例である。電池残量表示針３ａは、前記電池電圧Ｓｖが３．６Ｖを上回る場合は、領域３ａ―１でレベルＨを指し示し、前記電池電圧Ｓｖが３．６Ｖ以下で、且つ、３．３Ｖを上回る場合は領域３ａ―２でレベルＭを指し示す。さらに、前記電池電圧Ｓｖが３．３Ｖ以下で、且つ、３．０Ｖを上回る場合は、領域３ａ―３で、前記制御部１から前記第２表示部に出力される第２表示信号Ｓｄ２により、モード状態に応じて相当する領域を指し示す。例えば、時刻日付モードではＴＭＥ、クロノグラフモードではＣＨＲ、タイマーモードではＴＭＲ、アラームモードではＡＬＭのそれぞれの領域を指し示す。すなわち、領域３ａ−１と領域３ａ−２を第１角度範囲とし、第１角度範囲とは異なる領域３ａ−３を第２角度範囲とすると、所定の電圧値である３．３Vを上回る電圧値の場合は、第１角度範囲で電池電圧に関する情報を表示し、所定の電圧値である３．３V以下の場合は、第２角度範囲を複数の領域に分割してモードの種類を表す情報を表示する。
また、電池電圧Ｓｖが３．０Ｖ以下の場合は、ＴＭＥ，ＣＨＲ，ＴＭＲ，ＡＬＭのうちのそれまで指し示していた領域を指し示したままスタンバイ状態へ遷移する。
【００３８】
以下、上記構成による本発明の電子時計の動作について詳述する。
【００３９】
使用者は、第３入力手段１０を回転することで時刻日付モード、クロノグラフモード、タイマーモード、アラームモードから一つのモードを選択し、第１入力手段８および第２入力手段９を用いて各モードに割当てられた機能の操作を行う。
このとき使用者は、前記第１表示手段２に表示される各モード名の略号で現在どのモードかを判断する。例えば、時刻日付モードはＴＭＥ、クロノグラフモードはＣＨＲ、タイマーモードはＴＭＲ、アラームモードはＡＬＭ等である。
【００４０】
前記電池電圧Ｓｖが３．３Ｖを上回っている場合、前記秒針４ａおよび前記分針４ｂおよび前記時針４ｃおよび２４時間針４ｄ、および前記都市表示針４ｅにより、都市表示および相当する時刻表示を行っている。一方、前記第１表示手段２では、クロノグラフモードの場合は、クロノグラフモード表示および、クロノグラフ時間、クロノグラフラップタイム等の表示を行っている。
【００４１】
使用者は、クロノグラフモードにおいて、前記第１入力手段８により計時動作のスタート操作およびストップ操作、前記第２入力手段９によりラップ操作およびリセット操作等を行うことが出来る。
【００４２】
ここで、前記電池電圧Ｓｖが３．３Ｖ以下となった場合、図４に示すように、前記第１表示手段２は強制停止し消灯する。更に、前記電池残量表示針３ａは現クロノグラフモードに相当するＣＨＲ領域を指し示すと共に、前記秒針４ａおよび前記分針４ｂおよび前記時針４ｃおよび２４時間針４ｄを用いてクロノグラフ時間情報の表示を開始する。
【００４３】
使用者は、前記電池電圧Ｓｖが３．３Ｖを上回っているときと同様に、前記第１入力手段８によりクロノのスタート操作およびストップ操作、前記第２入力手段９によりラップ操作およびリセット操作等を行うことが出来る。
【００４４】
また、クロノグラフ時間表示中に使用者がラップ操作を行うと、前記秒針４ａおよび前記分針４ｂおよび前記時針４ｃおよび２４時間針４ｄをラップタイムで停止させ、１０秒間ほど停止し表示した後に再び現クロノグラフ時間に高速運針で追いつき表示を開始する。
【００４５】
ここで、前記電池電圧Ｓｖが３．０Ｖ以下となった場合、前記電池残量表示針３ａはＣＨＲ領域を指し示したまま前記秒針４ａおよび前記分針４ｂおよび前記時針４ｃおよび２４時間針４ｄの運針を停止すると共に前記第１入力手段８および前記第２入力手段９および前記第３入力手段１０の入力を禁止しスタンバイ状態へ遷移する。
【００４６】
クロノグラフモードでスタンバイ状態中に、前記充電手段７により前記電池電圧Ｓｖが上昇し前記電池電圧Ｓｖが３．０Ｖを上回った場合、前記秒針４ａおよび前記分針４ｂおよび前記時針４ｃおよび２４時間針４ｄはリセット状態、即ち００時間００分００秒を指し示す。
【００４７】
また、使用者は前記第１入力手段８によりクロノのスタート操作およびストップ操作、前記第２入力手段９によりラップ操作およびリセット操作等が再び可能となる。
【００４８】
更に前記充電手段７により、前記電池電圧Ｓｖが上昇し前記電池電圧Ｓｖが３．３Ｖを上回った場合、前記電池残量表示針３ａは領域３ａ―２でレベルＭ表示を行う。
【００４９】
更に、電池電圧が３．３Ｖを上回る前に秒針４ａ〜２４時間針４ｄでクロノグラフ時間を表示中であった場合、電池電圧Ｓｖが３．３Ｖを上回ると、前記第１表示手段によりクロノグラフモード表示および、クロノグラフ時間、クロノグラフラップタイム等の表示を再開する。
【００５０】
そして、前記秒針４ａおよび前記分針４ｂおよび前記時針４ｃおよび２４時間針４ｄは前記都市表示針４ｅの指し示す都市の現時刻表示を再開する。
【００５１】
次に、電池電圧Ｓｖが３．３Ｖを上回る場合と、３．３Ｖ〜３．０Ｖの場合のクロノグラフモード以外の各モードの表示内容について簡単に説明する。
電池電圧Ｓｖが３．３Ｖを上回っている場合、第１表示手段２は、選択されたモードを表すＴＭＥ，ＴＭＲ，ＡＬＭのいずれかと、選択されたモードで表示される、時刻情報（第３表示手段４で表示する都市とは異なる都市等の時刻情報）、タイマー時間、アラームオンオフ情報やアラーム設定時刻の表示を行う。また、電池残量表示針３ａは、Ｈ又はＭの表示を行い、秒針４ａ〜２４時間針４ｄは都市表示針４ｅが指し示す都市の時刻を表示する。
そして、電池電圧Ｓｖが３．３Ｖ以下では、第１表示手段２が消灯し、第２表示手段３および第３表示手段４で次の表示を行なう。
時刻日付モードでは、前記電池残量表示針３ａが図３に示すＴＭＥ領域を表示すると共に、前記秒針４ａおよび前記分針４ｂおよび前記時針４ｃおよび２４時間針４ｄは前記都市表示針４ｅの指し示す都市の時刻を表示する。時刻日付モードでは、第１表示手段２で表示していた都市の時刻を表示しても良いし、第３表示手段４で表示していた都市の時刻をそのまま表示しても良い。
【００５２】
また、前記第１入力手段８を押下することで、前記秒針４ａで文字板状に設けられた１日から３１日までの日情報を、前記分針４ｂで文字板状に設けられた１月から１２月までの月情報を、前記時針４ｃで文字板状に設けられた０から４年までのうるう年からの経年情報の表示を行う。
【００５３】
タイマーモードでは、前記電池残量表示針３ａが図３に示すＴＭＲ領域を表示すると共に、前記秒針４ａおよび前記分針４ｂおよび前記時針４ｃおよび２４時間針４ｄでタイマー時間を表示する。
【００５４】
使用者は、前記第１入力手段８によりタイマーのスタート操作およびストップ操作、前記第２入力手段９によりリセット操作等を行うことが出来る。
【００５５】
アラームモードでは、前記電池残量表示針３ａが図３に示すＡＬＭ領域を表示すると共に、前記秒針４ａで文字板状に設けられたオンまたはオフのオン／オフ情報を表示し、前記分針４ｂおよび前記時針４ｃおよび２４時間針４ｄでアラーム設定時刻の表示を行う。
【００５６】
使用者は、前記第１入力手段８によりアラームのオンまたはオフの切換が出来る。
【００５７】
クロノグラフモード以外のモードの場合も、電池電圧Ｓｖが３．３Ｖを上回る電圧から３．３Ｖ以下の電圧への低下、及び、３．３Ｖ以下の電圧から３．３Ｖを上回る電圧への上昇にともなって、第１表示手段２と第２表示手段３と第３表示手段４の表示内容は、クロノグラフモードの場合と同様に変わる。
すなわち、電池電圧Ｓｖが３．３Ｖを上回る電圧から３．３Ｖ以下の電圧になると、第１表示手段２で表示していたモードの種類を表す情報（ＴＭＥ、ＴＭＲ、ＡＬＭ）と、各モードで表示される情報（時刻、タイマー時間、アラームオンオフ情報やアラーム設定時刻情報）が、それぞれ、第２表示手段３と第３表示手段４で表示される。また、電池電圧Ｓｖが３．３Ｖ以下の電圧から３．３Ｖを上回る電圧に上昇した場合は、第２表示手段３で表示していたモードの種類を表す情報（ＴＭＥ、ＴＭＲ、ＡＬＭ）と、第３表示手段４で表示していた各モードで表示される情報（時刻、タイマー時間、アラームオンオフ情報やアラーム設定時刻情報）が、第１表示手段２で表示される。
【００５８】
このように、前記電池電圧Ｓｖが３．３Ｖ以下で前記電池残量表示針３ｂを用いてモード表示を行うことで、使用者は視覚的に電池電圧が下がったこととモード表示を指針で行うこととが関連付けられて、両方の情報を捉えやすく、また他の指針を使用しなくて済むので機能を損なうことなく使用できる。
【００５９】
なお、本実施例では前記電池電圧Ｓｖが３．３Ｖ以下で前記第１表示手段２を強制停止した場合に、前記秒針４ａおよび前記分針４ｂおよび前記時針４ｃおよび２４時間針４ｄを各モードの表示に切り換えたが、前記電池電圧Ｓｖが３．３Ｖを上回り前記第１表示手段が有効の場合でも、前記秒針４ａおよび前記分針４ｂおよび前記時針４ｃおよび２４時間針４ｄを各モードの表示に切り換えても良い。
【００６０】
また、本実施例の電池６は充電可能な二次電池であるが、本発明は、一次電池にも適用することができる。その場合は、本実施例における電池電圧が低下する場合の第１表示手段２〜第３表示手段４の表示動作と同様の表示制御をすれば良い。
【００６１】
また、本実施の形態では、第１表示手段は有機ＥＬの例で説明したが、第２及び第３表示手段よりも高い電力で駆動する液晶表示装置にも適用することができる。
【００６２】
さらに、本実施の形態では、電池電圧Ｓｖが３．３Ｖを上回っているときには、第１表
示手段で各モードの内容の表示を行なったが、電池電圧Ｓｖが３．６Ｖ〜３．０Ｖの範囲では第３表示手段で各モードの内容の表示を行い、電池電圧Ｓｖが３．３Ｖを上回っているときには第１表示手段では各モードの種類を表す情報だけを表示し、電池電圧Ｓｖが３．３Ｖ以下になったら各モードの種類を表す情報だけを第２表示手段で表示するようにしても良い。
【符号の説明】
【００６３】
１、制御手段
２、第１表示手段
３、第２表示手段
３ａ  電池残量表示針
４、第３表示手段
４ａ  秒針
４ｂ  分針
４ｃ  時針
４ｄ  ２４時間針
４ｅ  都市表示針
５、電圧検出手段
６、電池
７、充電手段
８、第１入力手段
９、第２入力手段
１０、第３入力手段
【図１】
2010223798.tif 000003
【図２】
2010223798.tif 000004
【図３】
2010223798.tif 000005
【図４】
2010223798.tif 000006
【図５】
2010223798.tif 000007